【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
式
［Ｘ−Ｙ−Ｘ−Ｏ］３−Ｒ                        （Ｉ）
の官能化トリオールと、
式
［Ｘ−Ｙ−Ｘ−Ｏ］２−Ｒ                        （ＩＩ）
の官能化ジオールと
を含む生体適合性接着剤組成物であって、
Ｘはイソシアネートであり、Ｙはポリアルキレンオキシドであり、Ｒはアルコール、脂肪族ポリエステル、ケトン、炭酸エステル、無水物およびそれらの組み合わせからなる群より選択される、
生体適合性接着剤組成物。
【請求項２】
前記イソシアネートは、２，４−トルエンジイソシアネート、２，６−トルエンジイソシアネート、２，２’−ジフェニルメタンジイソシアネート、２，４’−ジフェニルメタンジイソシアネート、４，４’−ジフェニルメタンジイソシアネート、ジフェニルジメチルメタンジイソシアネート、ジベンジルジイソシアネート、ナフチレンジイソシアネート、フェニレンジイソシアネート、キシリレンジイソシアネート、４，４’−オキシビス（フェニルイソシアネート）、２，４，６−トリメチル−１，３−フェニレンジイソシアネート、テトラメチルキシリレンジイソシアネート、テトラメチレンジイソシアネート、ヘキサメチレンジイソシアネート、リジンジイソシアネート、２−メチルペンタン-１，５−
ジイソシアネート、３−メチルペンタン−１，５−ジイソシアネート、２，２，４−トリメチルヘキサメチレンジイソシアネート、イソホロンジイソシアネート、シクロヘキサンジイソシアネート、水素化キシリレンジイソシアネート、水素化ジフェニルメタンジイソシアネートおよび水素化トリメチルキシリレンジイソシアネートからなる群より選択される、請求項１に記載の生体適合性接着剤組成物。
【請求項３】
前記ポリアルキレンオキシドは、ポリエチレングリコール、ポリエチレンオキシド、ポリプロピレンオキシド、ポリプロピレングリコール−ｃｏ−ポリエチレンオキシド共重合体、およびポリプロピレンオキシドとのポリエチレンオキシド共重合体からなる群より選択される、請求項１に記載の生体適合性接着剤組成物。
【請求項４】
前記ポリアルキレンオキシドは、ポリエチレングリコールを含む、請求項１に記載の生体適合性接着剤組成物。
【請求項５】
Ｒは、ポリカプロラクトンを含む、請求項１に記載の生体適合性接着剤組成物。
【請求項６】
前記組成物の約１０から約９８重量パーセントの量の前記官能化ジオールが存在し、該組成物の約９０から約２重量パーセントの量の前記官能化トリオールが存在する、請求項１に記載の生体適合性接着剤組成物。
【請求項７】
式
［Ｘ−Ｙ−Ｘ−Ｏ］３−Ｒ                        （Ｉ）
の官能化トリオール、
式
［Ｘ−Ｙ−Ｘ−Ｏ］２−Ｒ                        （ＩＩ）
の官能化ジオール、
多官能性アルコールおよび
少なくとも１つのアミン架橋剤
を含む、生体適合性封止剤組成物であって、
Ｘはイソシアネートであり、Ｙはポリアルキレンオキシドであり、Ｒはアルコール、脂肪族ポリエステル、ケトン、炭酸エステル、無水物およびそれらの組み合わせからなる群より選択される、
生体適合性封止剤組成物。
【請求項８】
前記イソシアネートは、２，４−トルエンジイソシアネート、２，６−トルエンジイソシアネート、２，２’−ジフェニルメタンジイソシアネート、２，４’−ジフェニルメタンジイソシアネート、４，４’−ジフェニルメタンジイソシアネート、ジフェニルジメチルメタンジイソシアネート、ジベンジルジイソシアネート、ナフチレンジイソシアネート、フェニレンジイソシアネート、キシリレンジイソシアネート、４，４’−オキシビス（フェニルイソシアネート）、２，４，６−トリメチル−１，３−フェニレンジイソシアネート、テトラメチルキシリレンジイソシアネート、テトラメチレンジイソシアネート、ヘキサメチレンジイソシアネート、リジンジイソシアネート、２−メチルペンタン-１，５−
ジイソシアネート、３−メチルペンタン−１，５−ジイソシアネート、２，２，４−トリメチルヘキサメチレンジイソシアネート、イソホロンジイソシアネート、シクロヘキサンジイソシアネート、水素化キシリレンジイソシアネート、水素化ジフェニルメタンジイソシアネートおよび水素化トリメチルキシリレンジイソシアネートからなる群より選択される、請求項７に記載の生体適合性封止剤組成物。
【請求項９】
前記ポリアルキレンオキシドは、ポリエチレングリコール、ポリエチレンオキシド、ポリプロピレンオキシド、ポリプロピレングリコール−ｃｏ−ポリエチレンオキシド共重合体、およびポリプロピレンオキシドとのポリエチレンオキシド共重合体からなる群より選択される、請求項７に記載の生体適合性封止剤組成物。
【請求項１０】
前記ポリアルキレンオキシドは、ポリエチレングリコールを含む、請求項７に記載の生体適合性封止剤組成物。
【請求項１１】
Ｒは、ポリカプロラクトンを含む、請求項７に記載の生体適合性封止剤組成物。
【請求項１２】
前記多官能性アルコールは、ソルビトール、グリセロール、ペンタエリスリトール、マンニトール、グルコース、デキストロース、スクロースおよびそれらの組み合わせからなる群より選択されたポリオールを含む、請求項７に記載の生体適合性封止剤組成物。
【請求項１３】
前記多官能性アルコールは、乳酸、グリコール酸、ヒドロキシ−酪酸、ポリヒドロキシ吉草酸、グリコリド、ラクチド、ε−カプロラクトン、炭酸トリメチレン、１，４−ジオキサン−２−オン、１，３−ジオキサン−２−オン、コハク酸、アジピン酸、セバシン酸、マロン酸、グルタル酸、アゼライン酸、ジクロロリン酸エチル、セバシン酸無水物、アゼライン酸無水物およびそれらの組み合わせからなる群より選択された生体吸収性基で官能化されている、請求項７に記載の生体適合性封止剤組成物。
【請求項１４】
前記多官能性アルコールの前記生物吸収性基は、トルエンジイソシアネート、４，４’−ジフェニルメタンジイソシアネート、１，６−ヘキサメチレンジイソシアネート、イソホロンジイソシアネート、４，４’−オキシビス（フェニルイソシアネート）およびリジンジイソシアネートからなる群より選択されたイソシアネートで末端を修飾されている、請求項１３に記載の生体適合性封止剤組成物。
【請求項１５】
前記多官能ポリオールは、少なくとも１つの親水性重合体によってさらに官能化されている、請求項１３に記載の生体適合性封止剤組成物。
【請求項１６】
前記少なくとも１つの親水性重合体は、ポリアルキレンオキシドを含む、請求項１５に記載の生体適合性封止剤組成物。
【請求項１７】
前記多官能性アルコールは、式
Ｅ−Ｘ−Ｚ−［（Ｄ）ｗ−Ｘ］ｒ                        （ＩＩＩ）
であり、ここで
Ｅは親水性重合体であり、Ｘはそれぞれの位置で同じであっても異なっていてもよく、かつXはイソシアネートであり、Ｚはポリオールであり、Ｄは生物吸収性基であり、ｗは
１から２０の数であり、ｒは１から１０の数である
請求項７に記載の生体適合性封止剤組成物。
【請求項１８】
前記親水性重合体はポリエチレングリコールを含み、前記イソシアネートはヘキサメチレンジイソシアネートを含み、前記多官能ポリオールはＤ−ソルビトールを含み、前記生物吸収性基はラクチドを含み、ｗは２から１０の数であり、ｒは２から５の数である、請求項１７に記載の生体適合性封止剤組成物。
【請求項１９】
前記少なくとも１つのアミン架橋剤は、第一アミン、ジアミン、芳香族アミン、ポリアミンおよびポリアミドアミンからなる群より選択される、請求項７に記載の生体適合性封止剤組成物。
【請求項２０】
前記少なくとも１つのアミン架橋剤は、ポリ（アリルアミン）、ポリ（Ｌ−リジン）および２つ以上のアミン官能基を有するポリアルキレンオキシドからなる群より選択される、請求項７に記載の生体適合性封止剤組成物。
【請求項２１】
前記官能化トリオールは前記組成物の約１から約５０重量パーセントの量で存在し、前記官能化ジオールは該組成物の約９７から約４８重量パーセントの量で存在し、前記多官能ポリオールは該組成物の約１から約２５重量パーセントの量で存在し、前記少なくとも１つのアミン架橋剤は該組成物の約１から約５０重量パーセントの量で存在する、請求項７に記載の生体適合性封止剤組成物。
【請求項２２】
創傷を閉鎖するための請求項１に記載の生体適合性接着剤組成物であって、
該組成物は、該創傷に塗布されて硬化し、それによって該創傷を閉鎖することを特徴とする、組成物。
【請求項２３】
動物組織内の漏れを封止するための請求項７に記載の生体適合性封止剤組成物であって、
該組成物は、該漏れに塗布されて硬化し、それによって該漏れを封止させることを特徴とする、組成物。
【請求項２４】
医療デバイスを動物組織の表面へ接着させるための請求項１に記載の生体適合性接着剤組成物であって、
該組成物は、該デバイス、該表面または両方に塗布され、
該デバイス、生体適合性接着剤組成物および表面が互いに接触され、そして
該生体適合性封止剤組成物が硬化され、それによって該デバイスと表面とを互いに接着させることを特徴とする、組成物。